(57)【要約】      （修正有）【課題】意匠性を高めて、しかもつかみやすく、シンプルモダン性を引き出した木製家具の化粧装飾前板でデザイン性を向上した戸の取手を有する、容易に開閉できる棚付き開き戸収納家具を提供する。【解決手段】両開き戸付き収納家具において、取手の役目と単調的装飾の向上になるようにデザイン性と機能性とを備えるために、両戸の前板を全面的に１５〜４０ｍｍの厚板にし、両戸の中央部の縦横は１５〜１００ｍｍの幅を持つ十文字状模様になるように２〜１２ｍｍの厚さの薄板状にして、薄板と厚板の境界部分の厚板には指を掛けることができる切り込み形状にして、開け閉めを容易にした。【選択図】図１
0003204765.tif 000002
【実用新案登録請求の範囲】
【請求項１】
両開き戸付き収納家具において、取手の役目と単調的装飾の向上になるようにデザイン性と機能性とを備えるために、両戸の前板全面的に１５〜４０ｍｍの厚板にし、両戸の中央部の縦横で１５〜１００ｍｍの幅の十文字状になるような厚さ２〜１２ｍｍの薄板状になって、薄板と厚板の境界部分の厚板には指を掛けることができる切り込み形状にして、家具の中心部に十文字模様を呈していることを特徴とする開け閉め容易な両開き戸付き木製収納家具。
【請求項２】
両開き戸付き収納家具における中央部の厚板の切り込み部は、斜め３０〜６０°の角度の勾配をもたせ、先端部をＲ形状にするか、或いは厚板部を二分した二段形状にして上段が３〜１０ｍｍ突き出ている形状にするか、或いは厚板の切り込み部を１０ｍｍ程度の全体的にＲ形状にするか、前記３種類の切り込み形状のうちで選ばれた形状にしていることを特徴とする請求項１記載の開け閉め容易な両開き戸付き木製収納家具。
【請求項３】
両開き戸付き収納家具は、中心部に１５〜１００ｍｍの幅の十文字模様を持った、高さ１０００〜２０００ｍｍ、横幅６００〜１２００ｍｍ、奥行き４００〜６５０ｍｍで、内部に棚段を取り付けており、段数として３〜８段であって、両開き戸付き収納家具における材料には、厚板として無垢板、ＭＤＦ，合板から選ばれたもので、薄板として無垢板、又は合板であって、ＭＤＦ、又は合板においては表面に装飾性材料の突板を貼っているものを使用していることを特徴とする請求項１、又は請求項２の記載の開け閉め容易な両開き戸付き木製収納家具。
【考案の詳細な説明】
【技術分野】
【０００１】この考案は、両開き戸付き収納家具において、前板を開き戸の取手の役目を持たせて、家具全体の装飾性を向上させた、しかも開き戸が開け閉めで簡単になり、デザイン性で掴みやすい取手を持つ十文字模様付き、開け閉め容易な両開き戸付き木製収納家具に関する。
【背景技術】
【０００２】従来、小物を収納することができるものとして、複数の引き出しを備えた小型収納箱、箪笥がある。一般に、このような小型収納箱は、引き出しを完全に抜き取って使用されることがある。【０００３】箪笥の木製基材板に、多数のランダムな大きさの線状の溝目要素をもって、全体として線状目模様の流動状を構成するように彫られた木板部を有する化粧板を表面に示したものが示されている（特許文献１参照）。【０００４】この化粧板に、木材表面をブラッシング加工して春材部、花模様部を削り取り、表面に凹凸を形成した後に塗装仕上げしたものが知られている（特許文献２参照）。またこの箪笥の表面の化粧板は、木質素材表面の自然の凹凸感を生かしたものとして、優れた質感のある木質材としてデザイン的に注目されてもいる（特許文献３参照）。【０００５】  枠部材を固着されたスライドドア（兼筆記用のボード）に対して安価な取手を迅速かつ容易に取り付ける技術を提供するために、取手にはフックが形成されている。このフックを枠部材のネジ覆い部に引っ掛けると、該取手は往復的に傾動し得るようになることが提案されている（特許文献４参照）。【０００６】  しかし縦切り込み取手の位置、形状など、あるいは引出の取手の位置の変更などによる新規のデザイン性の箪笥、あるいは開け閉め容易な両開き戸付き木製収納家具は存在していない。
【先行技術文献】
【特許文献】
【０００７】
【特許文献１】実登第３１４２９１７号公報
【特許文献２】特開平５−７６８２９号
【特許文献３】特開平１１−１６５３９６号
【特許文献４】特開平７−３２４５２５号
【考案の概要】
【考案が解決しようとする課題】
【０００８】開け閉め容易な両開き戸付き収納家具は、デザイン性を増すためには、引出に設けられた取手も小さくなっているので、取手がつかみにくいという問題があった。これを解消する手段として家具の取手の形を変えることが考えられるが、取手を大きくした場合には、デザイン性も劣り、また器具として邪魔であるとの問題を生じてくる。【０００９】本考案は、以上のような問題を解決するもので、目的は、両開き戸付き収納家具において、戸の形状を変えて、前板部分に手の指が簡単に挿入できるようにして前板部分を切りこみ、指を入れやすくすることにある。また、開き戸の戸のデザイン性で取手の機能を持たせて、戸をつかみやすく、開け閉め容易にすることにある。
両開き戸付き収納家具において、表面の前板の化粧板に十文字模様を取り入れて、掴みよい切り込み部分で取手をもたらされることである。
【課題を解決するための手段】
【００１０】  上記の目的を達成するために、両開き戸付き収納家具と、戸に対して開閉を容易にして、前板の化粧板の表面に縦横十文字にテーパー状に形成されていることを特徴とする。【００１１】両開き戸付き収納家具において、取手の役目と単調的装飾の向上になるようにデザイン性と機能性とを備えるために、両戸の前板全面的に１５〜４０ｍｍの厚板にし、両戸の中央部の縦横で１５〜１００ｍｍの幅を持つ十文字状になるように２〜１２ｍｍの厚さの薄板状にして、薄板と厚板の境界部分の厚板には指を掛けることができる切り込み形状にして、家具の中心部に十文字模様を呈している開け閉め容易な両開き戸付き木製収納家具である。【００１２】両開き戸付き収納家具における中央部の厚板の切り込み部は、斜め３０〜６０°の角度の勾配をもたせ、先端部をＲ形状にするか、或いは厚板部を二分した二段形状にして上段が３〜１０ｍｍ突き出ている形状にするか、或いは厚板の切り込み部を１０ｍｍ程度の全体的にＲ形状にするか、前記３種類のうちで選ばれた形状にしている。【００１３】両開き戸付き収納家具は、中心部に１５〜１００ｍｍの幅の十文字模様を持った、高さ１０００〜２０００ｍｍ、横幅３００〜１２００ｍｍ、奥行き４００〜６５０ｍｍで、内部に棚段を取り付けており、段数として３〜８段であって、両開き戸付き収納家具における材料には、厚板として無垢板、ＭＤＦ，合板から選ばれたもので、薄板として無垢板、又は合板であって、ＭＤＦ、又は合板においては表面に装飾性材料の突板を貼っているものを使用している。
【考案の効果】
【００１４】両開き戸付き収納家具は、戸の開け閉めを容易にして、デザイン性も向上させた、前板に取手形成用の切り込み部が設けられ、前板の切り込み部内に取手が収容されて形成されているので切り込み、内部に指を入れることにより、取手をつまむことができ、取手がつまみやすい。また、取手は切り込み部を掴みやすく、邪魔にならない。【００１５】  本考案の両開き戸付き収納家具の木製前板の切り込み構造装飾板は、家具で従来と同等の意匠性と趣を維持しながら、家具の美観的デザイン性を向上させることができ、切り込み構造における製造面でもコストを削減することができる。十字模様の切り込み表現による意匠性、質感ともに優れた装飾板にして、和風的で、豪華さを持ったデザイン性で掴みやすい取手を持つ十文字模様付き、開け閉め容易な両開き戸付き木製収納家具が提供される。
【図面の簡単な説明】
【００１６】
【図１】開け閉め容易な両開き戸付き木製収納家具の正面図
【図２】開け閉め容易な両開き戸付き木製収納家具の断面図
【図３】開け閉め容易な両開き戸付き木製収納家具の前板の十文字模様の斜視図
【図４】前板の切り込部分の種類の図  ７−１：斜め３０〜６０°の角度の勾配をもたせ、先端部をＲ形状、７−３、７−４，７−５：厚板部を二分した二段形状にして上段が３〜１０ｍｍ突き出ている形状  ７−２：厚板の切り込み部を１０ｍｍ程度の全体的にＲ形状
【図５】開け閉め容易な両開き戸付き木製収納家具の斜視図
【考案を実施するための形態】
【００１７】以下、本考案を実施するための最良の形態について説明する。
図１は、両開き戸付き木製収納家具の斜視図、図２は、両開き戸付き木製収納家具の前板の切り込部分の図、図３は、両開き戸付き木製収納家具の前板の十文字模様の斜視図、図４は、図１と異なった両開き戸付き木製収納家具の斜視図、図５は、両開き戸付き木製収納家具の内部の図である
【００１８】両開き戸付き木製収納家具の開き戸に対して容易に開閉可能に設けられた前板には、取手形成用の切り込みがそれぞれ設けられ、これらの切り込みが、各戸の前板に縦方向直線状に連なっているので、結果として、取手回りのスペースが広くなる。したがって、デザイン性で切り込み部に指を入れやすく、取手がつまみやすい。
【実施例１】
【００１９】図１、５に示すように、両開き戸付き収納家具において、取手の役目と単調的装飾の向上になるようにデザイン性と機能性とを備えるために、両戸の前板全面的に１５ｍｍの厚板にし、両戸の中央部の縦横で２０ｍｍの幅を持つ十文字状になるように２．５ｍｍの厚さの薄板状にして、図３に示すように薄板と厚板の境界部分の厚板には指を掛けることができる切り込み形状にして、家具の中心部に十文字模様を呈している開け閉め容易な両開き戸付き木製収納家具にした。【００２０】両開き戸付き収納家具における中央部の厚板の切り込み部は、図４の７−１に示すように斜め４５°の角度の勾配をもたせた形状にした。【００２１】両開き戸付き収納家具は、中心部に４０ｍｍの幅の十文字模様を持った、高さ１２００ｍｍ、横幅８００ｍｍ、奥行き４５０ｍｍで、図２に示すように、内部に棚段を取り付けており、段数として４段であって、両開き戸付き収納家具における材料には、厚板としてＭＤＦにして、薄板として合板であって、ＭＤＦ、又は合板においては表面に装飾性材料の木目のある突板を貼っているものを使用した。
【実施例２】
【００２２】図１、５に示すように、両開き戸付き収納家具において、取手の役目と単調的装飾の向上になるようにデザイン性と機能性とを備えるために、両戸の前板全面的に１８ｍｍの厚板にし、両戸の中央部の縦横で１５ｍｍの幅を持つ十文字状になるように４ｍｍの厚さの薄板状にして、図３に示すように薄板と厚板の境界部分の厚板には指を掛けることができる切り込み形状にして、家具の中心部に十文字模様を呈している開け閉め容易な両開き戸付き木製収納家具にした。【００２３】両開き戸付き収納家具における中央部の厚板の切り込み部は、図４の７−２に示すように厚板の切り込み部を１０ｍｍ程度の全体的にＲ形状にした。【００２４】両開き戸付き収納家具は、中心部に３０ｍｍの幅の十文字模様を持った、高さ１８００ｍｍ、横幅６００ｍｍ、奥行き４００ｍｍで、内部に棚段を取り付けており、段数として８段であって、両開き戸付き収納家具における材料には、厚板として合板から選ばれたもので、薄板として無垢板合板であって、合板においては表面に装飾性材料の突板を貼っているものを使用した。
【符号の説明】
【００２４】１．両開き戸付き収納家具
２．扉
３．取手
４．天板
５．厚板
６．薄板
７−１．テーパー型取っ手形状
７−２．Ｒ型取っ手形状
７−３．Ｌ型取っ手形状
７−４．Ｊ型取っ手形状
７−５．Ｕ型取っ手
８．切り込み
９．移動棚
１０．固定棚
１１．底板
１２．中心部
１３．十文字形状
【図１】
0003204765.tif 000003
【図２】
0003204765.tif 000004
【図５】
0003204765.tif 000005
【図３】
0003204765.tif 000006
【図４】
0003204765.tif 000007